(57)【要約】  無線制御装置側で各ＣＰＲＩリンクにおける詳細なエラーの発生状態を確認することが課題である。  これに対して、本発明の無線装置は、無線リンクにおけるエラーの発生状態を、無線リンクにおける、ユーザで自由に使用できる領域に格納して、無線制御装置に送信する。
2016042731.tif 000002
【特許請求の範囲】
【請求項１】
無線リンクにおけるエラーの発生状態を、前記無線リンクにおける、ユーザで自由に使用できる領域に格納して、送信する、無線装置。
【請求項２】
前記無線リンクが、ＣＰＲＩ（Ｃｏｍｍｏｎ  Ｐｕｂｌｉｃ  Ｒａｄｉｏ  Ｉｎｔｅｒｆａｃｅ）リンクで、
前記ユーザで自由に使用できる領域が、ｖｅｎｄｅｒ  ｓｐｅｃｉｆｉｃ領域である、請求項１に記載の無線装置。
【請求項３】
前記エラーが、８Ｂ／１０Ｂデコードでのｖｉｏｌａｔｉｏｎ（違反）である、請求項１または２に記載の無線装置。
【請求項４】
前記無線装置が、更に、前記エラーの発生した前記無線リンクの箇所を示す情報を、前記無線リンクにおける、前記ユーザで自由に使用できる領域に格納して、送信する、請求項１乃至３のいずれか１項に記載の無線装置。
【請求項５】
請求項１乃至４のいずれか１項に記載の１つ以上の前記無線装置と、
前記無線装置を制御する前記無線制御装置と、を包含し、
前記無線リンクが、前記無線制御装置及び前記無線装置の各々の間を接続する、無線制御システム。
【請求項６】
前記無線装置が、他の前記無線装置を介して前記エラーの発生状態を前記無線制御装置に送信する、請求項５に記載の無線制御システム。
【請求項７】
無線リンクにおけるエラーの発生状態を、前記無線リンクにおける、ユーザで自由に使用できる領域に格納して、送信する、無線リンクのエラー監視方法。
【請求項８】
前記無線リンクが、ＣＰＲＩで、
前記ユーザで自由に使用できる領域が、ｖｅｎｄｅｒ  ｓｐｅｃｉｆｉｃ領域である、請求項７に記載の無線リンクのエラー監視方法。
【請求項９】
前記エラーが、８Ｂ／１０Ｂのｖｉｏｌａｔｉｏｎ（違反）である、請求項７または８に記載の無線リンクのエラー監視方法。
【請求項１０】
前記無線装置が、更に、前記エラーの発生した前記無線リンクの箇所を示す情報を、前記無線リンクにおける、前記ユーザで自由に使用できる領域に格納して、送信する、請求項７乃至９のいずれか１項に記載の無線リンクのエラー監視方法。
【発明の詳細な説明】
【技術分野】
【０００１】
本発明は、無線制御システム、及び、無線リンクのエラー監視方法に関する。
【背景技術】
【０００２】
ＣＰＲＩ（Ｃｏｍｍｏｎ  Ｐｕｂｌｉｃ  Ｒａｄｉｏ  Ｉｎｔｅｒｆａｃｅ）は、無線基地局において無線制御装置（ＲＥＣ：Ｒａｄｉｏ  Ｅｑｕｉｐｍｅｎｔ  Ｃｏｎｔｒｏｌ）と無線装置（ＲＥ：Ｒａｄｉｏ  Ｅｑｕｉｐｍｅｎｔ）を接続するインターフェースである。【０００３】
ＣＰＲＩの物理層での通信品質を無線制御装置側で監視できる状態であることが、無線基地局の通信の品質管理において重要な要素となる。【０００４】
特許文献１は、ＣＰＲＩ信号の単位であるハイパーフレームの先頭を示すコマンドバイトに、無線制御装置と無線装置が同期状態にある場合と非同期状態にある場合とで異なるコマンドコードを挿入することによって、非同期状態にあることを通知する技術を開示している。【０００５】
特許文献２は、無線基地局において、無線制御装置と無線装置の間で通信を行うためのＣＰＲＩインターフェースの種々の利点を開示している。
【先行技術文献】
【特許文献】
【０００６】
【特許文献１】特開２０１２−２１７１３４号公報
【特許文献２】特表２００７−５０７９５７号公報
【発明の概要】
【発明が解決しようとする課題】
【０００７】
ＣＰＲＩは、その性質上、ＣＰＲＩリンクにエラーが発生した場合に、物理層での再送制御ができない。そのため、ＣＰＲＩリンクの物理層の通信品質を無線制御装置側で監視できる状態である必要がある。【０００８】
たとえば、「ＣＰＲＩ  Ｓｐｅｃｉｆｉｃａｔｉｏｎ  Ｖ６．０」は、物理層の異常監視についての仕様がある。その仕様では、Ｚ．１３０．０領域を利用して対向側の装置に対してリンクの状態を通知する仕様であるＬＯＳ（信号損失：Ｌｏｓｓ  Ｏｆ  Ｓｉｇｎａｌ）、ＬＯＦ（フレーム損失：Ｌｏｓｓ  Ｏｆ  Ｆｒａｍｅ）等が使われる。【０００９】
特許文献１は、ハイパーフレーム内に埋め込まれたＬＯＳやＬＯＦの情報に、同期状態を示す情報を追加したのみである。【００１０】
特許文献２は、上記ＬＯＳ、ＬＯＦを含むＣＰＲＩに関しては、一般的な特徴について記載しているのみである。【００１１】
ＬＯＳ及びＬＯＦの情報は、ある決まったレベルより通信品質が良いのか悪いかを示す情報でしかない。このため、ＬＯＳやＬＯＦに関する仕様を用いてＣＰＲＩリンクのエラー判定を行ったとしても、無線制御装置が通信品質を十分に監視することができなかった。【００１２】
また、ＬＯＳやＬＯＦに関する仕様では、リンクの状態を通知する情報にデータ量の制約がある。したがって、異常発生頻度が小さい場合には対向側装置への通知は行わず、また、発生頻度が大きい場合にも、制約がかかるとその頻度を伝えることができない。【００１３】
さらに、ＣＰＲＩリンクで異常が発生した際の故障個所の特定が困難であるという課題がある。無線装置は、ＤＬ（ダウンリンク：Ｄｏｗｎ  Ｌｉｎｋ）でＣＰＲＩ信号から抽出したクロックを用いて、無線制御装置へのＵＬ（アップリンク：Ｕｐ  Ｌｉｎｋ）のＣＰＲＩ信号を生成する場合が多い。このため、無線制御装置側で受信した信号でローカルＬＯＳやローカルＬＯＦが発生した場合に、故障個所の特定が困難であった。なぜなら、無線装置は、無線制御装置から送信されるＤＬのＣＰＲＩ信号の異常に影響を受けてＵＬの異常なＣＰＲＩ信号を送信したのか、それとも無線装置側に原因がありＵＬのＣＰＲＩ信号が異常となったのかを識別できないからである。【００１４】
従って、本発明の目的は、無線制御装置側で各ＣＰＲＩリンクにおける詳細なエラーの発生状態を確認することが可能となる、無線制御システム、及び、無線リンクのエラー監視方法を提供することである。
【課題を解決するための手段】
【００１５】
本発明の一態様における無線装置は、無線リンクにおけるエラーの発生状態を、前記無線リンクにおける、ユーザで自由に使用できる領域に格納して、送信する。【００１６】
本発明の無線リンクのエラー監視方法は、無線リンクにおけるエラーの発生状態を、前記無線リンクにおける、ユーザで自由に使用できる領域に格納して、送信する。
【発明の効果】
【００１７】
本発明によれば、無線制御装置側で各ＣＰＲＩリンクにおける詳細なエラーの発生状態を確認することが可能となる。
【図面の簡単な説明】
【００１８】
【図１】図１は、第一の実施形態に係る無線制御システムの構成の一例を示すブロック図である。
【図２】図２は、ＣＰＲＩリンクにおけるＣＰＲＩデータのマッピングの一例を示した図である。
【図３】図３は、無線制御装置または無線装置の送信部、及び、受信部のブロック図である。
【図４】図４は、無線装置「２」の動作の一例を概念的に示す図である。
【図５】図５は、無線装置「１」の動作の一例を概念的に示す図である。
【図６】図６は、無線制御装置の動作の一例を概念的に示す図である。
【図７】図７は、第二の実施形態に係る、無線制御システムのリンクＮｏの例を示した図である。
【図８】図８は、第二の実施形態に係る、無線装置「２」の動作の一例を概念的に示す図である。
【図９】図９は、第二の実施形態に係る、無線装置「１」の動作の一例を概念的に示す図である。
【図１０】図１０は、第二の実施形態に係る、無線制御装置の動作の一例を概念的に示す図である。
【図１１】図１１は、第三の実施形態に係る、無線装置の構成の一例を示すブロック図である。
【発明を実施するための形態】
【００１９】
＜第１の実施の形態＞
発明を実施するための第一の形態について、図面を参照して詳細に説明する。
【００２０】
図１は、第一の実施形態に係る無線制御システム１０の構成の一例を示すブロック図である。
【００２１】
無線制御システム１０は、無線制御装置２０、無線装置「１」３０Ａ、無線装置「２」３０Ｂ、ＣＰＲＩリンク「１」４０、及び、ＣＰＲＩリンク「２」５０を包含する。無線制御システム１０は、例えば、無線基地局である。
【００２２】
無線制御装置２０は、無線装置「１」３０Ａ、無線装置「２」３０Ｂと接続し、これらを制御する。ここで、無線装置「１」３０Ａ、及び、無線装置「２」３０Ｂは、これらを総称する場合または特定しない場合、無線装置３０とも言う。
【００２３】
無線装置３０は、無線信号の処理を行う。
【００２４】
なお、本実施形態では無線装置３０の数量が２の場合を記載しているが、無線装置３０の数量は、１以上の任意の数量であってもよい。
【００２５】
また、本実施形態の無線制御システム１０では、図１に示した無線制御装置２０−無線装置「１」３０Ａ−無線装置「２」３ＯＢの順で接続された「チェイン・トポロジ（ｃｈａｉｎ  ｔｏｐｏｌｏｇｙ）」における例を示している。なお、無線制御システム１０は、無線制御装置２０に複数の無線装置３０が直接接続する「スター・トポロジ（ｓｔａｒ  ｔｏｐｏｌｏｇｙ）」、または、複数の接続形態の組み合わせ等の構成でもあってもよい。ただし、それらの構成においても、無線制御装置２０、及び、無線装置３０の機能は、本実施形態と同様である、とする。
【００２６】
ＣＰＲＩリンク「１」４０は、無線制御装置２０と無線装置「１」３０Ａを接続する。ＣＰＲＩリンク「２」５０は、無線装置「１」３０Ａと無線装置「２」３０Ｂを接続する。ＣＰＲＩリンク「１」４０、及び、ＣＰＲＩリンク「２」５０は、ＣＰＲＩによるインターフェースである。
【００２７】
無線制御装置２０、無線装置「１」３０Ａ、及び、無線装置「２」３０Ｂの各々の送信部２１、３１Ａ及び３１Ｂは、ＣＰＲＩ信号の送信を行う。
【００２８】
また、無線制御装置２０、無線装置「１」３０Ａ、及び、無線装置「２」３０Ｂの各々の受信部２２、３２Ａ及び３２Ｂは、ＣＰＲＩ信号の受信を行う。
【００２９】
なお、送信部２１、３１Ａ及び３１Ｂ、及び、受信部２２、３２Ａ及び３２Ｂの構成の詳細は、後述の図３で説明する。
【００３０】
ＣＰＲＩリンク（ＣＰＲＩリンク「１」４０、及び、ＣＰＲＩリンク「２」５０）のデータ（以下、ＣＰＲＩデータと言う）は、ハイパーフレームで構成される。さらに、ハイパーフレームはベーシックフレームから構成される階層構造を持つものとする（１ハイパーフレーム＝２５６個のベーシックフレーム）。
【００３１】
また、ベーシックフレームは、８ビット（ｂｉｔｓ）×１６ワード（ｗｏｒｄｓ）のデータをデータ単位とし、データ単位に対応する行番号Ｙを用いて、例えば、Ｙ０〜Ｙ３の値で管理される（Ｙ＝４行の場合）。
【００３２】
ＣＰＲＩリンクにおける通信のビットレートは、例えば、２４５７．６Ｍビット／ｓとする（６１４．４Ｍｂｉｔ／ｓ×ＹでＹ＝４の場合）。また、この場合、１ハイパーフレームは、１６３８４バイト（＝４×１６ｗｏｒｄｓ×２５６個のベーシックフレーム）のデータで構成される。
【００３３】
図２は、ＣＰＲＩリンクにおけるＣＰＲＩデータのマッピングの一例を示した図である。すなわち、図２は、１ハイパーフレームにおけるデータ構成を示す。１ハイパーフレームが２５６個のベーシックフレームで構成されている。
【００３４】
以降の説明において、「＃Ｚ.Ｘ．Ｙ」は、ハイパーフレームにおけるデータの番地を示すものとする。ここで、Ｘは、ベーシックフレームのインデックス（図２の各数字に対応）を示し、０〜２５５の値をとる。また、Ｙは、ベーシックフレームの各データの内部での行番号を示し（上記の行番号Ｙを参照）、０〜３の値をとる。また、Ｚは、ハイパーフレーム自体のインデックスを示し、例えば、０〜１４９の値をとる。
【００３５】
また、図２に示すＸｓ（値が０〜３）は、上記Ｘと以下の式（１）に示す関係となる。
Ｘ＝Ｎｓ＋６４×Ｘｓ    （１）
ただし、Ｎｓは、図２における「種別」に対応する項目数（行数）である。
【００３６】
なお、以降の説明で用いる「＃Ｚ.Ｘ１．Ｙ１−＃Ｚ.Ｘ２．Ｙ２」のような表記は、番地が「＃Ｚ、Ｘ１、Ｙ１」〜「＃Ｚ、Ｘ２、Ｙ２」の範囲のＣＰＲＩデータを指すものとする。
【００３７】
ところで、図２において、本実施形態の無線制御システム１０がＣＰＲＩリンクで用いる「ｖｅｎｄｅｒ  ｓｐｅｃｉｆｉｃ」領域は、図の下方に太線枠で囲って示されている。「ｖｅｎｄｅｒ  ｓｐｅｃｉｆｉｃ」領域は、ユーザで自由に使用することができる領域の一例であり、本実施形態は、ここに、取得したエラー情報を格納することを特徴とする。なお、現在の「ＣＰＲＩ  Ｓｐｅｃｉｆｉｃａｔｉｏｎ  Ｖ６．０」では最低でも１６のコントロールワード（上記Ｎｓ＝１６〜１９）が「ｖｅｎｄｅｒ  ｓｐｅｃｉｆｉｃ」として確保されている。本実施形態においては、いずれの領域を使用しても効果に差異は発生しないものとする。
【００３８】
本実施形態の無線制御システム１０は、「ｖｅｎｄｅｒ  ｓｐｅｃｉｆｉｃ」領域を用いて、無線制御装置２０側に、各ＣＰＲＩリンクにおける詳細なエラーの発生状態を通知することができる。したがって、無線制御システム１０は、ＣＰＲＩリンクにおける物理層の異常監視の結果、異常発生頻度が小さい場合でも対向側装置（例えば、無線制御装置２０または無線装置３０の各々から見た送受信の相手側の装置を示す）への通知を行うことができ、また、発生頻度が大きい場合にもその頻度を伝えることができる。
【００３９】
また、本実施形態の無線制御システム１０は、「ｖｅｎｄｅｒ  ｓｐｅｃｉｆｉｃ」領域に、エラーの発生箇所の情報も格納することができるため、故障個所の特定が容易となる。
【００４０】
なお、ＬＯＳやＬＯＦの情報は、＃Ｚ．１３０．Ｙの領域（図２のＸ＝１３０）に格納されている。また、図２の他の領域については、本実施形態に特有の動作と関係が薄いため、説明を省略する。
【００４１】
図３は、無線制御装置２０または無線装置３０の送信部２１、３１、及び、受信部２２、３２のブロック図である。図３において、図面中の矢印の方向は、一例を示すものであり、ブロック間の信号の向きを限定するものではない。ここで、図１における送信部３１Ａ及び３１Ｂは、これらを総称する場合、または特定しない場合、送信部３１とも言う。また、受信部３２Ａ及び３２Ｂは、これらを総称する場合、または特定しない場合、受信部３２とも言う。
【００４２】
なお、８Ｂ／１０Ｂ処理とは、８ビットのデータを１０ビットのデータに変換して転送する高速シリアル転送方式である。また、「８Ｂ／１０Ｂ  ｖｉｏｌａｔｉｏｎ」とは、８Ｂ／１０Ｂ処理で通信されたデータでの違反を示す。
【００４３】
受信部２２、３２で受信したＣＰＲＩ受信信号６００は、デシリアライズ回路６０１に送信される。受信部２２において、ＣＰＲＩ受信信号６００は、送信部３１Ａからの信号である。受信部３２Ａにおいて、ＣＰＲＩ受信信号６００は、送信部２１または送信部３１Ｂからの信号である。また受信部３２Ｂにおいて、ＣＰＲＩ受信信号６００は、送信部３１Ａからの信号である。デシリアライズ回路６０１は、ＣＰＲＩ受信信号６００をデシリアライズ（直列−並列変換）する。そして、８Ｂ／１０Ｂデコード回路６０２は、デシリアライズされたデータに対し８Ｂ／１０Ｂ処理を行い、処理後のデータをハイパーフレーム検出回路６０３に出力する。
【００４４】
また、８Ｂ／１０Ｂデコード回路６０２は、８Ｂ／１０Ｂ処理の際に、「８Ｂ／１０Ｂ  ｖｉｏｌａｔｉｏｎ」を検出する。「８Ｂ／１０Ｂ  ｖｉｏｌａｔｉｏｎ」が検出された場合、８Ｂ／１０Ｂデコード回路６０２は、８Ｂ／１０Ｂ  ｖｉｏｌａｔｉｏｎ発生通知６０４を生成する。８Ｂ／１０Ｂデコード回路６０２は、８Ｂ／１０Ｂ処理の際に検出される８Ｂ／１０Ｂ  ｖｉｏｌａｔｉｏｎ発生通知６０４を８Ｂ／１０Ｂ  ｖｉｏｌａｔｉｏｎカウント回路６０６に通知する。
【００４５】
また、８Ｂ／１０Ｂデコード回路６０２での８Ｂ／１０Ｂ処理によってデコードされたデータを受信するハイパーフレーム検出回路６０３は、ＣＰＲＩフォーマットに基づき、ハイパーフレームを検出する。そして、ハイパーフレーム検出回路６０３は、その検出のタイミングを８Ｂ／１０Ｂ  ｖｉｏｌａｔｉｏｎカウント回路６０６に通知する（ハイパーフレームタイミング通知６０５の送信）。
【００４６】
８Ｂ／１０Ｂ  ｖｉｏｌａｔｉｏｎ発生通知６０４とハイパーフレームタイミング通知６０５を受信した８Ｂ／１０Ｂ  ｖｉｏｌａｔｉｏｎカウント回路６０６は、１つのハイパーフレームの間に発生した８Ｂ／１０Ｂ  ｖｉｏｌａｔｉｏｎをカウントする。カウントはハイパーフレーム毎に実施される。カウントされた値は、１ハイパーフレームごとに更新される。そして、カウントされた値は、送信側のｖｅｎｄｅｒ  ｓｐｅｃｉｆｉｃ挿入回路６１０に通知される（８Ｂ／１０Ｂ  ｖｉｏｌａｔｉｏｎカウント結果通知（単にカウント結果通知とも言う）６０７）。
【００４７】
この際に、８Ｂ／１０Ｂ  ｖｉｏｌａｔｉｏｎカウント回路６０６は、カウント値を８Ｂ／１０Ｂ  ｖｉｏｌａｔｉｏｎカウント結果通知６０７として送信する。
【００４８】
ｖｅｎｄｅｒ  ｓｐｅｃｉｆｉｃ挿入回路６１０は、本実施形態によるｖｅｎｄｅｒ  ｓｐｅｃｉｆｉｃを利用した通知機能を実装しない場合に送信信号生成回路６０８で生成する、ＣＰＲＩ信号（８Ｂ／１０Ｂ前のＣＰＲＩ信号６０９）に対して、８Ｂ／１０Ｂ  ｖｉｏｌａｔｉｏｎカウント回路６０６から通知された８Ｂ／１０Ｂ  ｖｉｏｌａｔｉｏｎカウント結果通知６０７を挿入する。これにより、ｖｅｎｄｅｒ  ｓｐｅｃｉｆｉｃ挿入回路６１０は、例えば、ＣＰＲＩデータの番地＃Ｚ.Ｘ．０用に８Ｂ／１０Ｂ  ｖｉｏｌａｔｉｏｎの発生数を２進数にした値の下位８ビットを、番地＃Ｚ.Ｘ．１用に上位８ビットをそれぞれ格納することができる。高ビットレートの場合、ｖｅｎｄｅｒ  ｓｐｅｃｉｆｉｃ挿入回路６１０は、さらに＃Ｚ.Ｘ．２を使用することも可能である。なお、Ｘは、図２に示すように、ｖｅｎｄｅｒ  ｓｐｅｃｉｆｉｃ領域における１６−１９、８０−８３、１４４−１４７、及び、２０８−２１１の中のいずれかの値である。また、無線制御システム１０は、Ｘの値について、運用形態ごとに無線制御装置２０より各無線装置３０に通知する方法を採ることで、種々のＣＰＲＩリンク構成に流動的に対応できる。
【００４９】
そして、ｖｅｎｄｅｒ  ｓｐｅｃｉｆｉｃ挿入回路６１０は、８Ｂ／１０Ｂエンコード回路６１１に、８Ｂ／１０Ｂ  ｖｉｏｌａｔｉｏｎカウント結果通知６０７を挿入したデータを出力する。
【００５０】
その後、ｖｅｎｄｅｒ  ｓｐｅｃｉｆｉｃ挿入回路６１０から出力されたＣＰＲＩ信号は、８Ｂ／１０Ｂエンコード回路６１１でエンコードされる。そして、ＣＰＲＩ信号は、さらにシリアライズ回路６１２にてシリアライズ処理され、ＣＰＲＩ送信信号６１３として対向装置に送信される。
【００５１】
図４は、無線装置「２」３０Ｂの動作の一例を概念的に示す図である。図４を用いて、無線装置「２」３０Ｂにおける８Ｂ／１０Ｂ  ｖｉｏｌａｔｉｏｎの検出及び通知の動作を以下に説明する。図４の左側は検出方法を示す。また、図４の右側は通知方法を示す。
【００５２】
無線装置「２」３０Ｂは、ＣＰＲＩリンク「２」５０を介して無線装置「１」３０ＡからＤＬ（Ｄｏｗｎ  Ｌｉｎｋ）信号としてのＣＰＲＩ信号を受信しているものとする。この場合、無線装置「２」３０Ｂは、受信したＣＰＲＩ信号における８Ｂ／１０Ｂ  ｖｉｏｌａｔｉｏｎの発生数をハイパーフレームごとにカウントする（Ｓ１）。
【００５３】
そして、無線装置「２」３０Ｂは、カウントした８Ｂ／１０Ｂ  ｖｉｏｌａｔｉｏｎの発生数をＣＰＲＩリンク「２」５０のＵＬ（Ｕｐ  Ｌｉｎｋ）信号の＃Ｚ.１６．０−＃Ｚ.１６．１を使用して無線装置「１」３０Ａに通知する。通知する値は、８Ｂ／１０Ｂ  ｖｉｏｌａｔｉｏｎカウント回路６０６によってハイパーフレームごとに更新される（Ｓ２）。
【００５４】
図５は、無線装置「１」３０Ａの動作の一例を概念的に示す図である。図５を用いて、無線装置「１」３０Ａの動作を以下に説明する。図５の左側は検出方法を示す。また、図５の右側は通知方法を示す。
【００５５】
まず、無線装置「１」３０Ａは、ＣＰＲＩリンク「１」４０で、無線制御装置２０からＤＬ信号として受信したＣＰＲＩ信号の８Ｂ／１０Ｂ  ｖｉｏｌａｔｉｏｎの発生数をハイパーフレームごとにカウントする（Ｓ３）。そして、無線装置「１」３０Ａは、カウントした８Ｂ／１０Ｂ  ｖｉｏｌａｔｉｏｎの発生数をＣＰＲＩリンク「１」４０のＵＬ信号の＃Ｚ.１６．０−＃Ｚ.１６．１を使用して無線制御装置２０に通知する（Ｓ４）。通知する値は、ハイパーフレームごとに更新される。
【００５６】
次に、無線装置「１」３０Ａは、ＣＰＲＩリンク「２」５０でＵＬ信号として受信したＣＰＲＩ信号の８Ｂ／１０Ｂ  ｖｉｏｌａｔｉｏｎの発生数をハイパーフレームごとにカウントする（Ｓ５）。そして、無線装置「１」３０Ａは、カウントした８Ｂ／１０Ｂ  ｖｉｏｌａｔｉｏｎの発生数をＣＰＲＩリンク「１」４０のＵＬ信号の＃Ｚ.１７．０−＃Ｚ.１７．１を使用して無線制御装置２０に通知する（Ｓ６）。通知する値は、ハイパーフレームごとに更新される。
【００５７】
また、無線装置「１」３０Ａは、Ｓ２においてＣＰＲＩリンク「２」５０でＵＬ信号として受信したＣＰＲＩ信号から、＃Ｚ.１６．０−＃Ｚ.１６．１の情報を抜き取る（Ｓ７）。次に、無線装置「１」３０Ａは、ＣＰＲＩリンク「１」４０のＵＬ信号の＃Ｚ.１８．０−＃Ｚ.１８．１を使用して無線制御装置２０に通知する（Ｓ８）。通知する値は、ハイパーフレームごとに更新される。
【００５８】
図６は、無線制御装置２０の動作の一例を概念的に示す図である。図６を用いて、無線制御装置２０の動作を以下に説明する。図６の左側は検出方法を示す。また、図６の右側は確認できる情報を示す。
【００５９】
まず、無線制御装置２０は、Ｓ４においてＣＰＲＩリンク「１」４０でＵＬ信号としてＣＰＲＩ信号を受信し、＃Ｚ.１６．０−＃Ｚ.１６．１の情報を抜き取る（Ｓ９）。これにより、無線制御装置２０は、ＣＰＲＩリンク「１」４０のＤＬ信号の８Ｂ／１０Ｂ  ｖｉｏｌａｔｉｏｎの発生数を確認することができる（Ｓ１０）。
【００６０】
次に、無線制御装置２０は、Ｓ６においてＣＰＲＩリンク「１」４０でＵＬ信号としてＣＰＲＩ信号を受信し、＃Ｚ.１７．０−＃Ｚ.１７．１の情報を抜き取る（Ｓ１１）。これにより、無線制御装置２０は、ＣＰＲＩリンク「２」５０のＵＬ信号の８Ｂ／１０Ｂ  ｖｉｏｌａｔｉｏｎの発生数を確認することができる（Ｓ１２）。
【００６１】
また、無線制御装置２０は、Ｓ８においてＣＰＲＩリンク「１」４０でＵＬ信号としてＣＰＲＩ信号を受信し、＃Ｚ.１８．０−＃Ｚ.１８．１の情報を抜き取る（Ｓ１３）。これにより、無線制御装置２０は、ＣＰＲＩリンク「２」５０のＤＬ信号の８Ｂ／１０Ｂ  ｖｉｏｌａｔｉｏｎの発生数を確認することができる（Ｓ１４）。
【００６２】
さらに、無線制御装置２０は、ＣＰＲＩリンク「１」４０でＵＬ信号として受信したＣＰＲＩ信号の８Ｂ／１０Ｂ  ｖｉｏｌａｔｉｏｎの発生数をハイパーフレームごとにカウントする（Ｓ１５）。これにより、無線制御装置２０は、ＣＰＲＩリンク「１」４０のＵＬ信号の８Ｂ／１０Ｂ  ｖｉｏｌａｔｉｏｎの発生数を確認することができる（Ｓ１６）。
【００６３】
このように、無線制御装置２０は、ｖｅｎｄｅｒ  ｓｐｅｃｉｆｉｃを利用した通知機能によって、ＣＰＲＩリンク「１」４０、ＣＰＲＩリンク「２」５０におけるＤＬ／ＵＬの８Ｂ／１０Ｂ  ｖｉｏｌａｔｉｏｎの発生状況を全て詳細に確認することができる。
【００６４】
なお、本実施形態では、単純な「チェイン・トポロジ（ｃｈａｉｎ  ｔｏｐｏｌｏｇｙ）」についての説明を記載した。しかし、無線制御システム１０は、無線制御装置２０より各無線装置３０に対して監視するリンクと８Ｂ／１０Ｂ  ｖｉｏｌａｔｉｏｎの発生数を通知するｖｅｎｄｅｒ  ｓｐｅｃｉｆｉｃ領域を指定することにより、ＣＰＲＩリンク構成が「チェイン・トポロジ（ｃｈａｉｎ  ｔｏｐｏｌｏｇｙ）」や「スター・トポロジ（ｓｔａｒ  ｔｏｐｏｌｏｇｙ）」及び、その複合した構成とすることも可能である、としてもよい。これらの構成においても、無線制御装置２０側が、各ＣＰＲＩリンクのＤＬ／ＵＬの８Ｂ／１０Ｂ  ｖｉｏｌａｔｉｏｎの発生状況を詳細に確認することができるものとする。
【００６５】
本実施形態に係る無線制御システム１０は、以下に記載するような効果を奏する。
【００６６】
無線制御装置２０側で各ＣＰＲＩリンクにおける詳細なエラーの発生状態を確認することが可能となる。
【００６７】
その理由は、無線装置３０がＣＰＲＩリンクにおけるエラーの発生状態をＣＰＲＩリンクのｖｅｎｄｅｒ  ｓｐｅｃｉｆｉｃ領域に格納して無線制御装置２０に送信するからである。
【００６８】
＜第２の実施の形態＞
図７は、第二の実施形態に係る、無線制御システム７０のリンクＮｏの例を示した図（ならびに構成の一例を示したブロック図）である。図中の四角で囲った番号が、ＣＰＲＩリンクのリンクＮｏの例を示す。「Ｎｏ」は、ナンバー（番号）を表す。
【００６９】
本実施形態では、無線制御装置８０が、各無線装置９０Ａ、９０Ｂに対して、監視するＣＰＲＩリンクの箇所を示すリンクＮｏ（ＵＬ／ＤＬ個別）のみを通知する。一方、無線装置９０Ａ、９０Ｂは、上位（無線制御装置８０または無線装置９０Ａ）に対して、ｖｅｎｄｅｒ  ｓｐｅｃｉｆｉｃ領域の番地のうち、＃Ｚ.Ｘ．０−＃Ｚ.Ｘ．１、すなわち上位の数ビット（ｂｉｔｓ）を用いて、監視しているリンクＮｏを通知する。また、無線装置９０Ａ、９０Ｂは、上位（無線制御装置８０または無線装置９０Ａ）に対して、＃Ｚ.Ｘ．０−＃Ｚ.Ｘ．１、すなわち残りのビットを使用して８Ｂ／１０Ｂ  ｖｉｏｌａｔｉｏｎの発生数を通知する。リンクＮｏに割り振るビット数は、系構成の複雑さにより適切なビット数を設定する。
【００７０】
本実施形態の無線制御システム７０は、無線制御装置８０、送信部８１、受信部８２、無線装置「１」９０Ａ、無線装置「２」９０Ｂ、送信部９１Ａ、送信部９１Ｂ、受信部９２Ａ、受信部９２Ｂ、ＣＰＲＩリンク「１」１００、及び、ＣＰＲＩリンク「２」１１０を含む。なお、無線制御システム７０は、図１に示す無線制御システム１０や図３に示す送信部、受信部と同等の構成とし、無線制御システム７０の構成の詳細な説明は省略する。
【００７１】
図８は、第二の実施形態に係る、無線装置「２」９０Ｂの動作の一例を概念的に示す図である。図８を用いて、無線装置「２」９０Ｂの動作を以下に説明する。図８の左側は検出方法を示す。また、図８の右側は通知方法を示す。
【００７２】
無線装置「２」９０Ｂは、ＣＰＲＩリンク「２」１１０を介して無線装置「１」９０ＡからＤＬ信号を受信しているものとする。この場合、無線装置「２」９０Ｂは、受信したＣＰＲＩ信号における８Ｂ／１０Ｂ  ｖｉｏｌａｔｉｏｎの発生数をハイパーフレームごとにカウントする（Ｓ１７）。そして、無線装置「２」９０Ｂは、カウントした８Ｂ／１０Ｂ  ｖｉｏｌａｔｉｏｎの発生数とリンクＮｏ(上位より通知、ここではＮｏ３とする)をＣＰＲＩリンク「２」１１０のＵＬ信号の任意のｖｅｎｄｅｒ  ｓｐｅｃｉｆｉｃ領域を使用して無線装置「１」９０Ａに通知する（Ｓ１８）。通知する値は、ハイパーフレームごとに更新される。
【００７３】
図９は、第二の実施形態に係る、無線装置「１」９０Ａの動作の一例を概念的に示す図である。図９を用いて、無線装置「１」９０Ａの動作を以下に説明する。図９の左側は検出方法を示す。また、図９の右側は通知方法を示す。
【００７４】
まず、無線装置「１」９０Ａは、ＣＰＲＩリンク「１」１００で、無線制御装置８０からＤＬ信号として受信したＣＰＲＩ信号の８Ｂ／１０Ｂ  ｖｉｏｌａｔｉｏｎの発生数をハイパーフレームごとにカウントする（Ｓ１９）。そして、無線装置「１」９０Ａは、カウントした８Ｂ／１０Ｂ  ｖｉｏｌａｔｉｏｎの発生数とリンクＮｏ（上位より通知、ここではＮｏ２とする）をＣＰＲＩリンク「１」１００のＵＬ信号の任意のｖｅｎｄｅｒ  ｓｐｅｃｉｆｉｃ領域を使用して無線制御装置８０に通知する。通知する値はハイパーフレームごとに更新される（Ｓ２０）。
【００７５】
次に、無線装置「１」９０Ａは、ＣＰＲＩリンク「２」１１０でＵＬ信号として受信したＣＰＲＩ信号の８Ｂ／１０Ｂ  ｖｉｏｌａｔｉｏｎの発生数をハイパーフレームごとにカウントする（Ｓ２１）。そして、無線装置「１」９０Ａは、カウントした８Ｂ／１０Ｂ  ｖｉｏｌａｔｉｏｎの発生数とリンクＮｏ（上位より通知、ここではＮｏ４とする）をＣＰＲＩリンク「１」１００のＵＬ信号の任意のｖｅｎｄｅｒ  ｓｐｅｃｉｆｉｃ領域を使用して無線制御装置８０に通知する。通知する値はハイパーフレームごとに更新される（Ｓ２２）。
【００７６】
また、無線装置「１」９０Ａは、ＣＰＲＩリンク「２」１１０でＵＬ信号として受信したＣＰＲＩ信号の全ｖｅｎｄｅｒ  ｓｐｅｃｉｆｉｃ領域（Ｘ：１６−１９、８０−８３、１４４−１４７、２０８−２１１)を確認する（Ｓ２３）。本構成の場合、Ｓ１８において無線装置「２」９０Ｂが挿入したリンクＮｏ３の情報が検出されるため、無線装置「１」９０Ａは、その情報（リンクＮｏ３＋８Ｂ／１０Ｂ  ｖｉｏｌａｔｉｏｎの発生数）をＣＰＲＩリンク「１」１００のＵＬ信号の任意のｖｅｎｄｅｒ  ｓｐｅｃｉｆｉｃ領域を使用して無線制御装置８０に転送する。無線装置「１」９０Ａは、通知する値をハイパーフレームごとに更新する（Ｓ２４）。
【００７７】
図１０は、第二の実施形態に係る、無線制御装置８０の動作の一例を概念的に示す図である。図１０を用いて、無線制御装置８０の動作を以下に説明する。図１０の左側は検出方法を示す。また、図１０の右側は確認できる情報を示す。
【００７８】
まず、無線制御装置８０は、ＣＰＲＩリンク「１」１００でＵＬ信号として受信した全ｖｅｎｄｅｒ  ｓｐｅｃｉｆｉｃ領域（Ｘ：１６−１９、８０−８３、１４４−１４７、２０８−２１１)を確認する（Ｓ２５）。本構成の場合、無線制御装置８０は、無線装置「１」９０Ａが挿入したリンクＮｏ２、３、４の情報を検出することができる。これにより、無線制御装置８０は、ＣＰＲＩリンク「１」１００のＤＬ信号の８Ｂ／１０Ｂ  ｖｉｏｌａｔｉｏｎの発生数（リンクＮｏ２）、ＣＰＲＩリンク「２」１１０のＤＬ信号の８Ｂ／１０Ｂ  ｖｉｏｌａｔｉｏｎの発生数（リンクＮｏ３）、及び、ＣＰＲＩリンク「２」１１０のＵＬ信号の８Ｂ／１０Ｂ  ｖｉｏｌａｔｉｏｎの発生数（リンクＮｏ４）を確認することができる（Ｓ２６〜２８）。
【００７９】
また、無線制御装置８０は、ＣＰＲＩリンク「１」１００でＵＬ信号として受信したＣＰＲＩ信号の８Ｂ／１０Ｂ  ｖｉｏｌａｔｉｏｎの発生数をハイパーフレームごとにカウントすることで（Ｓ２９）、ＣＰＲＩリンク「１」１００のＵＬ信号の８Ｂ／１０Ｂ  ｖｉｏｌａｔｉｏｎの発生数を確認することができる（Ｓ３０）。
【００８０】
本機能により、無線制御装置８０は、ＣＰＲＩリンク「１」１００、及び、ＣＰＲＩリンク「２」１１０における、ＤＬ／ＵＬの８Ｂ／１０Ｂ  ｖｉｏｌａｔｉｏｎの発生状況を詳細に確認することができる。
【００８１】
無線制御システム７０は、本手法を用いることで、リンクＮｏと８Ｂ／１０Ｂ  ｖｉｏｌａｔｉｏｎ発生状況を同じレイヤで確認することが可能となる。また、無線制御システム７０は、８Ｂ／１０Ｂ  ｖｉｏｌａｔｉｏｎが発生した時のみ上位に報告するという運用形態も可能で、その場合には、有限のｖｅｎｄｅｒ  ｓｐｅｃｉｆｉｃ領域を有効に活用することが可能となる。
【００８２】
また、無線装置９０は、通知する情報として８Ｂ／１０Ｂ  ｖｉｏｌａｔｉｏｎの発生数を上位に報告するのではなく、８Ｂ／１０Ｂ  ｖｉｏｌａｔｉｏｎの発生数が無線制御装置８０から指定される、ある閾値を超えたか否かを上位に報告することも可能である。本手法を用いることで、無線制御システム７０は、無線制御装置８０側での監視を簡略化することができ、また通知に用いるｂｉｔ数も削減することもでき、有限のｖｅｎｄｅｒ  ｓｐｅｃｉｆｉｃ領域を有効に活用することが可能となる。
【００８３】
本実施形態に係る無線制御システム７０は、以下に記載するような効果を奏する。
【００８４】
有限のｖｅｎｄｅｒ  ｓｐｅｃｉｆｉｃ領域を有効に活用することが可能となる。
【００８５】
その理由は、無線装置９０は上位数ｂｉｔを用いて監視しているリンクＮｏを上位に通知し、残りのｂｉｔを使用して８Ｂ／１０Ｂ  ｖｉｏｌａｔｉｏｎの発生数を通知するからである。
【００８６】
＜第３の実施の形態＞
次に、本発明を実施するための第三の形態について図面を参照して詳細に説明する。
【００８７】
図１１は、第三の実施形態に係る、無線装置１２０の構成の一例を示すブロック図である。
【００８８】
無線装置１２０は、無線リンク１２１におけるエラーの発生状態を、無線リンク１２１における、ユーザで自由に使用できる領域に格納して、送信する。
【００８９】
本実施形態に係る無線装置１２０は、以下に記載するような効果を奏する。
【００９０】
無線リンク１２１における詳細なエラーの発生状態を確認することが可能となる。
【００９１】
その理由は、無線装置１２０が無線リンク１２１におけるエラーの発生状態を、無線リンクにおける、ユーザで自由に使用できる領域に格納して送信するからである。
【００９２】
以上、図面を参照して本発明の実施形態を説明したが、本発明は上記実施形態に限定されるものではない。本発明の構成や詳細には、本発明のスコープ内で当業者が理解し得る様々な変更をすることができる。
【００９３】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【００９４】
この出願は、２０１４年９月１９日に出願された日本出願特願２０１４−１９１２８１を基礎とする優先権を主張し、その開示の全てをここに取り込む。
【符号の説明】
【００９５】
１０    無線制御システム
２０    無線制御装置
２１    送信部
２２    受信部
３０Ａ    無線装置「１」
３０Ｂ    無線装置「２」
３１Ａ    送信部
３１Ｂ    送信部
３２Ａ    受信部
３２Ｂ    受信部
４０    ＣＰＲＩリンク「１」
５０    ＣＰＲＩリンク「２」
６００    ＣＰＲＩ受信信号
６０１    デシリアライズ回路
６０２    ８Ｂ／１０Ｂデコード回路
６０３    ハイパーフレーム検出回路
６０４    ８Ｂ／１０Ｂ  ｖｉｏｌａｔｉｏｎ発生通知
６０５    ハイパーフレームタイミング通知
６０６    ８Ｂ／１０Ｂ  ｖｉｏｌａｔｉｏｎカウント回路
６０７    ８Ｂ／１０Ｂ  ｖｉｏｌａｔｉｏｎカウント結果通知
６０８    送信信号生成回路
６０９    ８Ｂ／１０Ｂ前のＣＰＲＩ信号
６１０    ｖｅｎｄｅｒ  ｓｐｅｃｉｆｉｃ挿入回路
６１１    ８Ｂ／１０Ｂエンコード回路
６１２    シリアライズ回路
６１３    ＣＰＲＩ送信信号
７０    無線制御システム
８０    無線制御装置
８１    送信部
８２    受信部
９０Ａ    無線装置「１」
９０Ｂ    無線装置「２」
９１Ａ    送信部
９１Ｂ    送信部
９２Ａ    受信部
９２Ｂ    受信部
１００    ＣＰＲＩリンク「１」
１１０    ＣＰＲＩリンク「２」
１２０    無線装置
１２１    無線リンク
【図１】
2016042731.tif 000003
【図２】
2016042731.tif 000004
【図３】
2016042731.tif 000005
【図４】
2016042731.tif 000006
【図５】
2016042731.tif 000007
【図６】
2016042731.tif 000008
【図７】
2016042731.tif 000009
【図８】
2016042731.tif 000010
【図９】
2016042731.tif 000011
【図１０】
2016042731.tif 000012
【図１１】
2016042731.tif 000013
【国際調査報告】
2016042731.tif 000014
2016042731.tif 000015
2016042731.tif 000016
2016042731.tif 000017